(57)【要約】【課題】暖簾を配置すべき開口部の大きさや暖簾の使用目的等により定まる暖簾の仕様に応じて暖簾布体を選択して用意し、この選択された暖簾布片を暖簾吊下杆に並列状に吊下配置した後隣り合う暖簾布片を連結部材により繋着するだけで各種仕様に合った暖簾を得ることができる。【解決手段】幅や長さ、模様、素材等の適宜仕様の暖簾布片１により形成され、暖簾布片の上部に暖簾吊下杆２を挿通可能な挿通穴部１ａが形成され、暖簾吊下杆に選択された複数枚の暖簾布片を並列状に吊下配置し、各暖簾布片に隣り合う暖簾布片を相互に連結可能な連結部材１ｂを設けてなる。【選択図】図１
2005034445.tif 000002
【特許請求の範囲】
【請求項１】
幅や長さ、模様、素材等の適宜仕様の暖簾布片により形成され、該暖簾布片の上部に暖簾吊下杆を挿通可能な挿通穴部が形成され、該暖簾吊下杆に該選択された複数枚の暖簾布片を並列状に吊下配置し、該各暖簾布片に隣り合う暖簾布片を相互に連結可能な連結部材を設けてなることを特徴とする暖簾。
【請求項２】
上記連結部材は隣り合う暖簾布片を相互に縛着可能な縛紐からなることを特徴とする暖簾。
【発明の詳細な説明】
【技術分野】
【０００１】
本発明は例えば室内の出入口等の開口部に吊下配置して使用される暖簾に関するものである。
【背景技術】
【０００２】
従来、この種の暖簾として、一枚のシート状の布の上部に暖簾吊下杆を挿通可能な挿通穴部を形成し、この布の数カ所を上部近傍位置から下端に至って切断してなるものが知られている。
【特許文献１】特開２００２−２５１１５１号公報
【発明の開示】
【発明が解決しようとする課題】
【０００３】
しかしながらこれら従来構造の場合、例えば暖簾を配置すべき開口部の大きさや暖簾の使用目的により暖簾の仕様が種々異なり、このため、その仕様に合わせてその都度製作しなければならないことになるという不都合を有している。
【課題を解決するための手段】
【０００４】
本発明はこれらの課題を解決することを目的とし、請求項１記載の発明は、幅や長さ、模様、素材等の適宜仕様の暖簾布片により形成され、該暖簾布片の上部に暖簾吊下杆を挿通可能な挿通穴部が形成され、該暖簾吊下杆に該選択された複数枚の暖簾布片を並列状に吊下配置し、該各暖簾布片に隣り合う暖簾布片を相互に連結可能な連結部材を設けてなることを特徴とする暖簾にある。
【０００５】
又、請求項２記載の発明は、上記連結部材は隣り合う暖簾布片を相互に縛着可能な縛紐からなることを特徴とするものである。
【発明の効果】
【０００６】
本発明は上述の如く、請求項１記載の発明にあっては、暖簾を配置すべき開口部の大きさや暖簾の使用目的等により定まる暖簾の仕様に応じて暖簾布体を選択して用意し、この選択された暖簾布片を暖簾吊下杆に並列状に吊下配置した後隣り合う暖簾布片を連結部材により繋着するだけで各種仕様に合った暖簾を得ることができ、このため、種々異なる暖簾の仕様に対応することができ、それだけ、使用の融通性を高めることができると共に製作コストの低減を図ることができる。
【０００７】
又、請求項２記載の発明にあっては、連結部材は隣り合う暖簾布片を相互に縛着可能な縛紐からなるので、容易に連結することができると共に製作が容易となる。
【発明を実施するための最良の形態】
【０００８】
暖簾の仕様に応じて暖簾布体を選択して用意し、この選択された暖簾布片を暖簾吊下杆に並列状に吊下配置した後隣り合う暖簾布片を連結部材により繋着するだけで各種仕様に合った暖簾を得ることができる。
【実施例】
【０００９】
図１乃至図７は本発明の実施例を示し、図１乃至図３は第一実施例、図４は第二実施例、図５は第三実施例、図６は第四実施例、図７は第五実施例である。
【００１０】
図１乃至図３の第一実施例において、１は暖簾布片であって、幅や長さ、模様、素材等は適宜仕様により形成され、この暖簾布片１の上部に暖簾吊下杆２を挿通可能な挿通穴部１ａが縫目Ｍにより折返形成され、かつ、暖簾布片１の上側部に隣り合う暖簾布片１・１を相互に連結可能な連結部材１ｂを設けている。
【００１１】
この場合、上記連結部材１ｂとして、隣り合う暖簾布片１・１を相互に縛着可能な暖簾布片１に共縫いされた縛紐により形成している。
【００１２】
この第一実施例は上記構成であるから、図３の如く、二枚の仕様の同じ暖簾布片１・１及びこれらと仕様の異なる一枚の暖簾布体１の計三枚の暖簾布片１・１・１を用意し、これら暖簾布片１・１・１の挿通穴部１ａに暖簾吊下杆２を挿通して並列状に吊下配置し、隣り合う暖簾布片１・１を連結部材１ｂ・１ｂである繋紐により繋着することにより暖簾を得ることができる。尚、最両端部に位置する左端部及び右端部に垂下している連結部材１ｂ・１ｂは挿通穴部１ａ内に挿入して隠蔽することにより外観体裁を良好にすることができる。
【００１３】
従って、暖簾を配置すべき開口部の大きさや暖簾の使用目的等により定まる暖簾の仕様に応じて暖簾布体１を選択して用意し、この選択された暖簾布片１を暖簾吊下杆２に並列状に吊下配置した後隣り合う暖簾布片１・１を連結部材１ｂ・１ｂにより繋着するだけで各種仕様に合った暖簾を得ることができ、このため、種々異なる暖簾の仕様に対応することができ、それだけ、使用の融通性を高めることができると共に製作コストの低減を図ることができる。
【００１４】
この場合、連結部材１ｂ・１ｂは隣り合う暖簾布片１・１を相互に縛着可能な縛紐からなるので、容易に連結することができると共に製作が容易となる。
【００１５】
図４の第二実施例は別例構造を示し、この場合、三枚の仕様の異なる暖簾布片１・１・１を用意し、これら暖簾布片１・１・１の挿通穴部１ａに暖簾吊下杆２を挿通して並列状に吊下配置し、隣り合う暖簾布片１・１を連結部材１ｂ・１ｂにより繋着することにより暖簾を得ることができる。尚、同じく、最両端部に位置する左端部及び右端部に垂下している連結部材１ｂ・１ｂは挿通穴部１ａ内に挿入して隠蔽することにより外観体裁を良好にすることができる。
【００１６】
図５の第三実施例は別例構造を示し、この場合、同じ仕様の三枚の暖簾布片１・１・１を用意し、これら暖簾布片１・１・１の挿通穴部１ａに暖簾吊下杆２を挿通して並列状に吊下配置し、隣り合う暖簾布片１・１を連結部材１ｂ・１ｂにより繋着することにより暖簾を得ることができる。尚、同じく、最両端部に位置する左端部及び右端部に垂下している連結部材１ｂ・１ｂは挿通穴部１ａ内に挿入して隠蔽することにより外観体裁を良好にすることができる。
【００１７】
図６の第四実施例は別例構造を示し、この場合、同じ仕様の二枚の暖簾布片１・１を用意し、これら暖簾布片１・１の挿通穴部１ａに暖簾吊下杆２を挿通して並列状に吊下配置し、隣り合う暖簾布片１・１を連結部材１ｂ・１ｂにより繋着することにより暖簾を得ることができる。尚、同じく、最両端部に位置する左端部及び右端部に垂下している連結部材１ｂ・１ｂは挿通穴部１ａ内に挿入して隠蔽することにより外観体裁を良好にすることができる。
【００１８】
図７の第五実施例は別例構造を示し、この場合、一枚の暖簾布片１を用意し、この暖簾布片１の挿通穴部１ａに暖簾吊下杆２を挿通して吊下配置することにより暖簾を得ることができる。尚、同じく、両端部に位置する左端部及び右端部に垂下している連結部材１ｂ・１ｂは挿通穴部１ａ内に挿入して隠蔽することにより外観体裁を良好にすることができる。
【００１９】
これらの第二乃至第五実施例にあっても、上記第一実施例と同様な作用効果を得ることができる。
【００２０】
尚、本発明は上記実施例に限られものではなく、例えば暖簾布片１の素材、幅や長さ、模様等の仕様や挿通穴部１ａ、連結部材１ｂ・１ｂの構造等は適宜設計して変更されるものである。
【００２１】
以上、所期の目的を充分達成することができる。
【図面の簡単な説明】
【００２２】
【図１】本発明の第一実施例の斜視図である。
【図２】本発明の第一実施例の部分拡大断面図である。
【図３】本発明の第一実施例の使用状態の正面図である。
【図４】本発明の第二実施例の使用状態の正面図である。
【図５】本発明の第三実施例の使用状態の正面図である。
【図６】本発明の第四実施例の使用状態の正面図である。
【図７】本発明の第五実施例の使用状態の正面図である。
【符号の説明】
【００２３】
Ｍ    縫目
１    暖簾布片
１ａ    挿通穴部
１ｂ    連結部材
２    暖簾吊下杆
【図１】
2005034445.tif 000003
【図２】
2005034445.tif 000004
【図３】
2005034445.tif 000005
【図４】
2005034445.tif 000006
【図５】
2005034445.tif 000007
【図６】
2005034445.tif 000008
【図７】
2005034445.tif 000009